(57)【要約】【課題】指輪等の環状装身具の周方向の左右に異なる金属にて構成し、その融合部位にぼかし現象をもたらした環状装身具であり、そのための鋳造方法を提供するものである。【解決手段】環状装身具の周方向表面の左右を異種貴金属にて構成し、異種貴金属による融合部位を周方向表面に露呈させた環状装身具であり、環状装身具の外形のキャビティを備えた鋳型と、このキャビティに連通させた複数の湯道と、各湯道に溶融した異種貴金属の地金を流し込み、キャビティ内で融合させた環状装身具であり、このキャビティが車両に装着されたタイヤ状に立ち上がった状態で、かつ、キャビティの周方向表面を左右に分けた部位に湯道を形成してなり、各湯道に溶融した異種貴金属の地金を流し込み、キャビティ内で異種貴金属の地金を融合させた。１‥鋳型、１ａ‥キャビティ、２‥湯道、２ａ‥受口、３０‥指輪、３１、３２‥異種貴金属、３３‥融合部。【選択図】図２
2006167128.tif 000002
【特許請求の範囲】
【請求項１】
環状装身具の周方向表面の左右を異種貴金属にて構成し、異種貴金属による融合部位を周方向表面に露呈させたことを特徴とする異種貴金属による環状装身具。
【請求項２】
環状装身具が指輪である請求項１記載の環状装身具。
【請求項３】
環状装身具の外形を区画するキャビティを備えた鋳型と、このキャビティに連通させた複数の湯道と、各湯道にルツボから溶融した異種貴金属の地金を流し込み、キャビティ内で異種貴金属の地金を融合させた環状装身具の鋳造方法であって、当該キャビティが車両に装着されたタイヤ状に立ち上がった状態で、かつ、キャビティの周方向表面を左右に分けた部位に湯道を形成してなり、各湯道に応じて備えた個々のルツボから溶融した異種貴金属の地金を当該湯道を通してキャビティ内に流し込み、当該キャビティ内で異種貴金属の地金を融合させたことを特徴とする環状装身具の鋳造方法。
【請求項４】
ルツボをハンドル操作にて湯道に流し込む請求項３記載の環状装身具の鋳造方法。
【発明の詳細な説明】
【技術分野】
【０００１】
この発明は、環状装身具の鋳造方法に関し、さらに詳しくは環状装身具の周方向の左右に異なった貴金属で一体に鋳造できるようにし融合部位の色彩に変化（以下、単に「ぼかし現象」という）を持たせることができた環状装身具の鋳造方法に関するものである。
【背景技術】
【０００２】
貴金属装身具に色彩変化を付ける方法としては、（ａ）数種類の貴金属からなるパ−ツをロー付け等により連結する方法、（ｂ）融点の高い方の貴金属パーツをワックス母材に取り付け、埋没させる工程により鋳型を製作し、ワックス母材を焼華し、上記パーツが鋳型中に残された状態で、他の貴金属を鋳造接合するロストワックス鋳造法、（ｃ）複数の貴金属をクラッド方式で圧延加工し色彩を変える方法、（ｄ）メッキ、かしめ、電解研磨、薬品等で部分的に色を変える方法、等がある。
【０００３】
しかしながら、上記の何れの方法においても、複数の溶融地金が合流して一体化して凝固する際に生れる新たな合金領域における「ぼかし現象」の演出は不可能であった。
【０００４】
本出願人は、既に各種貴金属を含む金属固有の色相を引き出し、かつ、「ぼかし現象」をも発現する複数の貴金属で構成された装身具を鋳造する方法を提供している（特許文献１）。
【０００５】
【特許文献１】特開平０３−１３６６０４号公報
【０００６】
この鋳造方法を利用することにより、異なった貴金属、例えば純金や複数の合金特有の色彩を一個の貴金属製装身具内に組み込んだ製品を容易に鋳造することができるようになった。
【０００７】
即ち、特許文献１の技術内容は、装身具に対応するキャビティを備えた鋳型と、このキャビティに連通させた複数本の湯道を備え、各湯道に応じて形成した個々のルツボから溶融した異種貴金属の地金をほぼ同時に流し込み、当該キャビティ内で異種貴金属の地金を融合させることを特徴とするものである。
【０００８】
しかるに、上記鋳型はキャビティが立ち上がった状態ではなく、いわば寝かした状態で異種貴金属を流し込むものであり、或いはキャビティが立ち上がった場合でも単に左右より異種貴金属を流し込む技術である。装身具として指輪を例にとれば、図１（１）に示すようにキャビティ１ａが寝かした状態或いはキャビティ１ａが立ち上がった場合でも単に左右より異種貴金属を流し込むものであり、このため、鋳造された指輪３０は図１（２）に示したように径方向の略半分が異種貴金属３１、３２にて構成され、両者の接触部位が融合部３３となるものである。
【０００９】
従って、後述する「ぼかし現象」を持つ融合部３３は指輪３０に対して極く一部で、しかも指輪３０の径方向に分断する方向に現出するものであり、美的に見てさほど優れたものとは言えない状態であった。即ち、かかる従来技術による「ぼかし現象」は、このままの技術では指輪３０の最も重要な部位である周方向に現出形成することはできないという点が指摘されていた。尚、各符号の詳細は後述する図２及び図３の説明中で詳細に説明する。
【００１０】
更に言えば、上記の技術による指輪にあっては、「ぼかし現象」が現れる異種貴金属の融合部位が指と指の間に入った場合には折角の「ぼかし現象」も人目に触れることがないという致命的な欠陥を有するものであった。即ち、指輪にあっては、その周方向に「ぼかし現象」が入ることが望まれるものであるが、上記の技術ではこれができない。
【００１１】
又、その鋳造方法も、ルツボ内の溶融状態の地金を受け口に流し込む際、ルツボ内の黒鉛棒を引き抜いて吐出する鋳造方法であり、その改良が望まれていた。
【発明の開示】
【発明が解決しようとする課題】
【００１２】
本発明は指輪等にて代表される環状装身具の周方向の左右に異なる金属にて構成し、その融合部位に「ぼかし現象」をもたらした環状装身具であり、そのための鋳造方法を提供するものである。
【課題を解決するための手段】
【００１３】
第１発明は、環状装身具自体の発明であり、かかる環状装身具の周方向表面の左右を異種貴金属にて構成し、異種貴金属による融合部位、即ち「ぼかし現象」を周方向表面に露呈させたことを特徴とする異種貴金属による環状装身具にかかものである。
【００１４】
第２発明はかかる環状装身具の鋳造方法であって、環状装身具の外形を区画するキャビティを備えた鋳型と、このキャビティに連通させた複数の湯道と、各湯道にルツボから溶融した異種貴金属の地金を流し込み、キャビティ内で異種貴金属の地金を融合させた環状装身具の鋳造方法であって、当該キャビティが車両に装着されたタイヤ状に立ち上がった状態で、かつ、キャビティの周方向表面を左右に分けた部位に湯道を形成してなり、各湯道に応じて備えた個々のルツボから溶融した異種貴金属の地金を当該湯道を通してキャビティ内に流し込み、当該キャビティ内で異種貴金属の地金を融合させたことを特徴とする環状装身具の鋳造方法にかかるものである。
【発明の効果】
【００１５】
発明の効果について第１発明をもって述べれば、ここで得られた環状装身具の１例である指輪にあっては、指輪の特に重要となる周方向表面に環状をなして異種貴金属の地金が融合した部位が露呈しているものであり、かかる融合部位は地金に用いられた貴金属とは異なる配色をなす「ぼかし現象」をもって構成されており、これによって地金とは異なる色彩が得られるものである。
【００１６】
しかも、第２発明によってかかる異種貴金属の融合部位、即ち「ぼかし現象」をもたらす部位は指輪の最も重要な周表面の全周に構成されることとなるため、指への装着時に指輪が回転してしまったとしても常に「ぼかし現象」が現れる構造となっており、装身具として最も好ましい構造となっている。
【発明を実施するための最良の形態】
【００１７】
発明の形態について第２発明をもって述べれば、最大の特徴点は環状装身具を得るための鋳型をタイヤ状に立ち上げ、かつ、鋳型の周方向表面を左右に分けた部位に湯道を形成してなるものである。そして、各湯道に応じて備えた個々のルツボから溶融した異種貴金属を、通常はほぼ同時に流し込み、鋳型内でこの異種貴金属を融合させた環状装身具の鋳造方法である。尚、ルツボからの貴金属の流し込みは、ハンドル操作にてルツボを傾ける方法が作業性も良く、かつ、スペ−ス的にも好適である。
【００１８】
特に言えば、鋳型はタイヤ状に立ち上げ、かつ、鋳型の周方向表面を左右に分けた部位に湯道を形成したことにより、タイヤに例えれば、立ち上げたタイヤの周方向の左右に湯道を形成したことにより、得られた環状装身具の周方向の表面には、異種貴金属の融合部位、即ち、異種の貴金属がこの部位で溶融し、これを冷却すると、かかる融合部位が色彩等に変化のある「ぼかし現象」を発現することとなったものである。
【実施例】
【００１９】
以下、本発明の環状装身具の代表例である指輪の鋳造方法について更に図面をもって説明する。図２は鋳造方法が適用される鋳造装置の全体図である。図中、１は鋳型であり、環状装身具、即ち、この例では指輪の外形を区画するキャビティ１ａを備えたものであって、このキャビティ１ａをタイヤ状に立ち上げて設置されている。かかるキャビティ１ａは複数個設置することが可能ではあるが、鋳造された後の製品のでき具合等を考慮すると制御可能ななるべく数が少ない方（例えば１個）がよい場合もある。
【００２０】
２はこの鋳型１のキャビティ１ａにつながっている湯道であり、タイヤ状に立ち上げられたキャビティ１ａに対して周方向の左右に少なくとも一つ形成されたものである。尚、湯道２の受口２ａはロート状に形成されているのが好ましい。かかる湯道２は、用いられる貴金属の比重、キャビティ１ａの形状、大きさ、距離等によりその径を変えて、貴金属の溶融物の流し込みを調節することとなる。
【００２１】
３はセラミック製のルツボであり、この例におけるルツボ３は中央に仕切り３ａが設けられており、かかるルツボ３を囲んで貴金属の地金を溶解するためのコイル４が巻かれ、高、中、低周波にて誘導される加熱装置に連結されている。５は溶解された貴金属を湯道２の受口２ａに流し込むためのハンドルであり、かかるハンドル５を除いて鋳造機のチャンバ−６内に納められている。かかるチャンバ−６内は貴金属の地金の酸化を防止するために、真空又は不活性ガス等を充填した雰囲気にすることが望ましい。尚、地金の溶解温度を測定する温度計も供えられるが図示しない。
【００２２】
鋳造作業の具体例としては、先ず、焼成された鋳型１を所定の位置にセットする。この際、鋳型１に形成したキャビティ１ａをタイヤ状に立ち上がらせた状態にセットすることが重要である。次いで、ルツボ３内に所定量の貴金属地金を入れ、コイル４に誘導加熱装置から電流を流す。チャンバ−６を閉め、内部を真空状態とする。用いられた貴金属の特性にあった条件で溶湯状態を判断し、ハンドル５を倒して溶解した貴金属を鋳型１内に流し込み加圧する。鋳型１内の溶解貴金属の完全凝固後に圧を抜いて鋳込み作業を終了する。その後はバリ取り、研磨等の常法によって処理され、周表面に環状の「ぼかし現象」をもった指輪が得られることとなる。
【００２３】
上記の鋳造作業にあって、キャビティ１ａは必ずしも垂直に立てる必要はなく、融合面の主要部が周表面に存在するように傾けて鋳造することも可能であり、夫々オリジナリティのある指輪が得られるものである。
【００２４】
又、受口２ａへの溶湯状態の貴金属の流し込みは、単にハンドル５の操作によって簡単にでき、チャンバ−６を開ける必要もなく、又、前記した従来の技術のように、ルツボより黒鉛棒（図１（１）中の符号７）を引き抜くという作業もなくなったものであり、その作業性の向上は大きい。
【００２５】
上記の工程にあって、ルツボ３は貴金属別に別々に供えるものであってもよく、巻かれるコイル４も別々にすることも可能である。
【００２６】
図３は得られた指輪（第１発明）の一部切り欠き斜視図である。この図からも分かるように、指輪３０は周方向の左右を別の貴金属（例えば金と銀）３１、３２にて構成され、その融合部３３は両者の融合によって「ぼかし現象」を現出したもので、この「ぼかし現象」は指輪３０の周表面全周にわたって形成されることから、その審美性が極めて増すこととなる。
【産業上の利用可能性】
【００２７】
本発明に係る貴金属製装身具の鋳造方法は以上の通りであり、環状装身具の周表面を異なった貴金属で一体に鋳造することができ、色彩等に変化を持たせた融合部を表面にもつ装身具が得られたもので、審美感が一層増した装身具が得られたものであって、指輪のみならず各種の装身具に適用可能である。
【図面の簡単な説明】
【００２８】
【図１】図１は従来の鋳造技術によって得られた指輪の斜視図である。
【図２】図２は本発明の鋳造技術を示す全体図である。
【図３】図３は本発明の鋳造技術によって得られた指輪の斜視図である。
【符号の説明】
【００２９】
１‥鋳型、
１ａ‥キャビティ、
２‥湯道、
２ａ‥受口、
３‥ルツボ、
３ａ‥仕切り、
４‥コイル、
５‥ハンドル、
６‥チャンバ−、
３０‥指輪、
３１、３２‥異種貴金属、
３３‥融合部。
【図１】
2006167128.tif 000003
【図２】
2006167128.tif 000004
【図３】
2006167128.tif 000005